(57)【要約】  本実施形態の映像機器は、映像信号の入力部と出力部を有し、前記入力部から入力された前記映像信号を前記出力部から出力する映像信号処理部と、前記映像信号を伝送する映像信号ケーブルを着脱自在に接続する第１映像信号端子と、前記第１映像信号端子と同一形状を有し、前記映像信号ケーブルを着脱自在に接続する第２映像信号端子と、前記第１映像信号端子および前記第２映像信号端子における所定の状態を検出する検出部と、前記第１映像信号端子と前記入力部または前記出力部のいずれかとを接続する第１映像信号用スイッチと、前記第２映像信号端子と前記入力部または前記出力部のいずれかとを接続する第２映像信号用スイッチと、前記検出部の検出結果に応じて、前記第１映像信号用スイッチの接続状態と前記第２映像信号用スイッチの接続状態を制御する制御部とを備える。
2019102607.tif 000002
【特許請求の範囲】
【請求項１】
映像信号の入力部と出力部を有し、前記入力部から入力された前記映像信号を前記出力部から出力する映像信号処理部と、
前記映像信号を伝送する映像信号ケーブルを着脱自在に接続する第１映像信号端子と、
前記第１映像信号端子と同一形状を有し、前記映像信号ケーブルを着脱自在に接続する第２映像信号端子と、
前記第１映像信号端子および前記第２映像信号端子における所定の状態を検出する検出部と、
前記第１映像信号端子と前記入力部または前記出力部のいずれかとを接続する第１映像信号用スイッチと、
前記第２映像信号端子と前記入力部または前記出力部のいずれかとを接続する第２映像信号用スイッチと、
前記検出部の検出結果に応じて、前記第１映像信号用スイッチの接続状態と前記第２映像信号用スイッチの接続状態を制御する制御部と
を備える映像機器。
【請求項２】
前記第１映像信号用スイッチおよび前記第２映像信号用スイッチの接続の設定情報を記憶する記憶部を備え、
前記制御部は、前記検出部の検出結果または前記記憶部が記憶する前記設定情報に応じて、前記第１映像信号用スイッチの接続状態と前記第２映像信号用スイッチの接続状態を制御する
請求項１に記載の映像機器。
【請求項３】
前記検出部は、前記所定の状態として、前記第１映像信号端子および前記第２映像信号端子における前記映像信号ケーブルの接続の有無を検出し、
前記制御部は、前記映像信号ケーブルの接続が先に検出された前記第１映像信号端子または前記第２映像信号端子の一方と前記入力部が接続され、他方と前記出力部が接続されるように、前記第１映像信号用スイッチの接続状態と前記第２映像信号用スイッチの接続状態を制御する
請求項１または２に記載の映像機器。
【請求項４】
前記検出部は、前記所定の状態として、前記第１映像信号端子および前記第２映像信号端子における前記映像信号の入力の有無を検出し、
前記制御部は、前記映像信号の入力が先に検出された前記第１映像信号端子または前記第２映像信号端子の一方と前記入力部が接続され、他方と前記出力部が接続されるように、前記第１映像信号用スイッチの接続状態と前記第２映像信号用スイッチの接続状態を制御する
請求項１または２に記載の映像機器。
【請求項５】
前記映像信号処理部の前記入力部に入力された前記映像信号に基づき映像を表示する表示部を
さらに備える請求項１から４のいずれか１項に記載の映像機器。
【請求項６】
映像信号の入力部と出力部を有し、前記入力部から入力された前記映像信号を前記出力部から出力する映像信号処理部と、
前記映像信号を伝送する映像信号ケーブルを着脱自在に接続する第１映像信号端子と、
前記第１映像信号端子と同一形状を有し、前記映像信号ケーブルを着脱自在に接続する第２映像信号端子と、
前記第１映像信号端子と前記入力部または前記出力部のいずれかとを接続する第１映像信号用スイッチと、
前記第２映像信号端子と前記入力部または前記出力部のいずれかとを接続する第２映像信号用スイッチと、
を備える映像機器において、
前記第１映像信号端子および前記第２映像信号端子における前記所定の状態を検出し、
前記検出部の検出結果に応じて、前記第１映像信号用スイッチの接続状態と前記第２映像信号用スイッチの接続状態を制御する
映像機器の制御方法。
【発明の詳細な説明】
【技術分野】
【０００１】
本発明は、映像機器および映像機器の制御方法に関する。
【背景技術】
【０００２】
特許文献１には、入力コネクタと出力コネクタとが同一の形状である映像機器において、外部機器との誤接続を正確に検出するための構成が記載されている。
【先行技術文献】
【特許文献】
【０００３】
【特許文献１】特開２０１４−１６５７３８号公報
【発明の概要】
【発明が解決しようとする課題】
【０００４】
特許文献１に記載されているように入力コネクタと出力コネクタとが同一の形状である映像機器においては、入出力を意識して映像信号ケーブルを接続しないと、正しく接続することができない場合があるという課題がある。例えば、映像機器の入力端子に、他の映像機器の入力端子に一端が接続されている映像信号ケーブルの他端を接続してしまうと、映像が正常に表示されなくなる。このような誤接続は、例えば、複数の映像機器をデイジーチェーンする場合や、複数の入出力コネクタを有する単体の映像機器を、映像再生機器等と映像信号ケーブルで接続する場合に発生することがある。【０００５】
本発明は、上記事情に鑑みてなされたものであり、操作者が、映像機器の端子の入出力を意識せずに映像信号ケーブルを接続することができる映像機器および映像機器の制御方法を提供することを目的とする。
【課題を解決するための手段】
【０００６】
上記課題を解決するため、本発明の一態様は、映像信号の入力部と出力部を有し、前記入力部から入力された前記映像信号を前記出力部から出力する映像信号処理部と、前記映像信号を伝送する映像信号ケーブルを着脱自在に接続する第１映像信号端子と、前記第１映像信号端子と同一形状を有し、前記映像信号ケーブルを着脱自在に接続する第２映像信号端子と、前記第１映像信号端子および前記第２映像信号端子における所定の状態を検出する検出部と、前記第１映像信号端子と前記入力部または前記出力部のいずれかとを接続する第１映像信号用スイッチと、前記第２映像信号端子と前記入力部または前記出力部のいずれかとを接続する第２映像信号用スイッチと、前記検出部の検出結果に応じて、前記第１映像信号用スイッチの接続状態と前記第２映像信号用スイッチの接続状態を制御する制御部とを備える映像機器である。【０００７】
本発明の一態様は、映像信号の入力部と出力部を有し、前記入力部から入力された前記映像信号を前記出力部から出力する映像信号処理部と、前記映像信号を伝送する映像信号ケーブルを着脱自在に接続する第１映像信号端子と、前記第１映像信号端子と同一形状を有し、前記映像信号ケーブルを着脱自在に接続する第２映像信号端子と、前記第１映像信号端子と前記入力部または前記出力部のいずれかとを接続する第１映像信号用スイッチと、前記第２映像信号端子と前記入力部または前記出力部のいずれかとを接続する第２映像信号用スイッチと、を備える映像機器において、前記第１映像信号端子および前記第２映像信号端子における前記所定の状態を検出し、前記検出部の検出結果に応じて、前記第１映像信号用スイッチの接続状態と前記第２映像信号用スイッチの接続状態を制御する映像機器の制御方法である。
【発明の効果】
【０００８】
本発明によれば、操作者が、映像機器の端子の入出力を意識せずに映像信号ケーブルを接続することができる。
【図面の簡単な説明】
【０００９】
【図１】本発明の第１実施形態に係る映像表示機器の構成例を示すブロック図である。
【図２】図１に示す映像用スイッチ（１）１３１および映像用スイッチ（２）１３２の構成例を説明するための模式図である。
【図３】図１に示す映像表示機器１０の動作例を示すフローチャートである。
【図４】図１に示す映像表示機器１０の接続例を示す模式図である。
【図５】図４に示す第１実施形態に係る映像表示機器１０−１および１０−２の他の接続例を示す模式図である。
【図６】本発明の第２実施形態に係る映像表示機器１０ａの構成例を示すブロック図である。
【図７】図６に示す映像表示機器１０ａの動作例を示すフローチャートである。
【図８】図６に示す映像表示機器１０ａの動作例を示すフローチャートである。
【図９】図６に示す映像表示機器１０ａの他の動作例を示すフローチャートである。
【図１０】本発明の実施形態の最小構成例を示すブロック図である。
【発明を実施するための形態】
【００１０】
＜第１実施形態＞
以下、本発明の第１実施形態に係る映像表示機器について図面を参照して説明する。図１は、本発明の第１実施形態に係る映像表示機器１０の構成例を示すブロック図である。
【００１１】
図１に示す映像表示機器１０は、映像信号端子（１）１２１と、映像信号端子（２）１２２と、映像用スイッチ（１）１３１と、映像用スイッチ（２）１３２と、ケーブル検出部１０３と、画素変換回路１０４を備える。映像表示機器１０は、さらに、映像制御部１０５と、出力映像制御部１０６と、出力映像表示部１０７と、ＣＰＵ（中央処理装置）１０８と、制御部１０９と、メモリ１１０を備える。図１において、実線の矢印は映像信号の流れを示し、破線の矢印は映像表示機器１０内の各部を制御するための制御信号の流れを示す（図６および図１０において同じ）。なお、映像信号は、例えば、画像信号、音響信号、映像信号に係る制御信号等を含む。
【００１２】
映像信号端子（１）１２１は、映像信号を入出力するため所定の映像信号ケーブルのコネクタを着脱自在に接続するコネクタである。映像信号端子（１）１２１は所定の複数のピンを有する。例えば、映像信号端子（１）１２１がレセプタクルであり、映像信号ケーブルのコネクタがプラグである。映像信号端子（１）１２１は、映像信号の入力用にも出力用にも用いることができる。
【００１３】
映像信号端子（２）１２２は、映像信号を入出力するため所定の映像信号ケーブルのコネクタを着脱自在に接続するコネクタである。映像信号端子（２）１２２は、映像信号端子（１）１２１と同一形状のコネクタである。映像信号端子（２）１２２は所定の複数のピンを有する。例えば、映像信号端子（２）１２２がレセプタクルであり、映像信号ケーブルのコネクタがプラグである。映像信号端子（２）１２２は、映像信号の入力用にも出力用にも用いることができる。
【００１４】
次に、図２を参照して、映像用スイッチ（１）１３１および映像用スイッチ（２）１３２の構成例について説明する。図２は、映像用スイッチ（１）１３１および映像用スイッチ（２）１３２の構成例を説明するための模式図である。なお、図１と図２において同一の構成には同一の符号を用いている。
【００１５】
映像用スイッチ（１）１３１は、画素変換回路１０４の入力端子１０４１または出力端子１０４２のいずれか一方と映像信号端子（１）１２１を入出力ライン１５０を介して選択的に接続する。映像用スイッチ（１）１３１の接続の切り替えは、制御部１０９によって制御される。映像用スイッチ（１）１３１は、例えば、映像信号端子（１）１２１が有する複数のピンと同数の配線を切り替える複数のスイッチを有する。入出力ライン１５０は、映像用スイッチ（１）１３１が有する複数のスイッチと同数の複数の配線をそれぞれが有する入力ライン（１）１５１と出力ライン（１）１５２を有する。入力ライン（１）１５１が有する複数の配線は入力端子１０４１に接続されている。出力ライン（１）１５２が有する複数の配線は出力端子１０４２に接続されている。
【００１６】
映像用スイッチ（２）１３２は、映像用スイッチ（１）１３１と同一の構成を有する。すなわち、映像用スイッチ（２）１３２は、画素変換回路１０４の入力端子１０４１または出力端子１０４２のいずれか一方と映像信号端子（２）１２２を入出力ライン１６０を介して選択的に接続する。映像用スイッチ（２）１３２の接続の切り替えは、制御部１０９によって制御される。映像用スイッチ（２）１３２は、例えば、映像信号端子（２）１２２が有する複数のピンと同数の配線を切り替える複数のスイッチを有する。入出力ライン１６０は、映像用スイッチ（２）１３２が有する複数のスイッチと同数の複数の配線をそれぞれが有する入力ライン（２）１６１と出力ライン（２）１６２を有する。入力ライン（２）１６１が有する複数の配線は入力端子１０４１に接続されている。出力ライン（２）１６２が有する複数の配線は出力端子１０４２に接続されている。
【００１７】
一方、図１に示すケーブル検出部１０３は、映像信号端子（１）１２１および映像信号端子（２）１２２に、映像信号ケーブルが接続されているか否かを検出し、検出した結果を制御部１０９へ出力する。例えば、ケーブル検出部１０３は、映像信号端子（１）１２１および映像信号端子（２）１２２の所定のピンの抵抗値や電圧、静電容量等を検知することで、映像信号ケーブルの接続の有無を検出する。あるいは、ケーブル検出部１０３は、例えば、映像信号端子（１）１２１および映像信号端子（２）１２２に設けた機械式スイッチのオンまたはオフの状態に基づいて映像信号ケーブルの接続の有無を検出する。あるいは、ケーブル検出部１０３は、例えば、近接センサを用いて、映像信号ケーブルが接続されているか否かを検出する。
【００１８】
画素変換回路１０４は、図２に示す入力端子１０４１と出力端子１０４２を有する。画素変換回路１０４は、入力端子１０４１から入力された映像信号を、解像度や形式の変換を行わずに出力端子１０４２から出力する。一方、画素変換回路１０４は、入力端子１０４１に入力された映像信号の形式や解像度を変換し、変換した映像信号を図１に示す映像制御部１０５へ出力する。つまり、入力端子１０４１から入力された映像信号は、画素変換回路１０４において分配（複製）され、一方は解像度や形式が変換されずに出力端子１０４２から出力され、他方は解像度や形式が変換されて映像制御部１０５へ出力される。なお、出力端子１０４２から出力される映像信号は、伝送等にともなう劣化を補償した映像信号であってもよく、解像度や形式を変換した映像信号であってもよい。画素変換回路１０４の動作は、制御部１０９によって制御される。
【００１９】
映像制御部１０５は、画素変換回路１０４から入力された映像信号に対して所定の設定に基づく画像処理等を行い、出力映像制御部１０６へ出力する。映像制御部１０５の動作は、制御部１０９によって制御される。
【００２０】
出力映像制御部１０６は、映像制御部１０５から入力された映像信号を、出力映像表示部１０７の入力信号の形式に合うように変換して、出力映像表示部１０７へ出力する。また、出力映像制御部１０６は、例えば、当該映像表示機器１０が他の複数台の映像表示機器１０とともにマルチディスプレイを構成するように設定されている場合、当該映像表示機器１０に割り当てられている表示領域を抽出する処理や、マルチストリームトランスポート機能において自装置に割り当てられたアドレスが設定された映像信号を抽出する処理等を行う。
【００２１】
出力映像表示部１０７は、例えば表示画面やプロジェクタを有し、出力映像制御部１０６から入力された映像信号に基づく映像を、表示画面に表示したり、プロジェクタによって投射したりする。
【００２２】
ＣＰＵ１０８は、例えばメモリ１１０に記憶されている所定のプログラムを実行し、制御部１０９を介して各部を制御する。本実施形態において、ＣＰＵ１０８は、制御部１０９を制御することで、映像信号端子（１）１２１と映像信号端子（２）１２２のうち、映像信号ケーブルが先に接続された方を入力端子に設定し、後の方を出力端子に設定するように各部を制御する。
【００２３】
制御部１０９は、ＣＰＵ１０８からの指示に応じて、各部との間で所定の制御信号を入出力する。制御部１０９は、例えば、ケーブル検出部１０３による各映像信号端子（１）１２１および映像信号端子（２）１２２におけるケーブル検出結果を入力したり、画素変換回路１０４の端子設定などを制御したりする。
【００２４】
なお、ＣＰＵ１０８と制御部１０９は例えばマイクロコンピュータ等として一体的に構成することができる。
【００２５】
メモリ１１０は、例えばＣＰＵ１０８が実行するプログラム、映像信号端子（１）１２１および映像信号端子（２）１２２における入力または出力の設定情報等の所定の情報を記憶する。
【００２６】
次に、図１、図２、図３および図４を参照して、図１に示す映像表示機器１０において、映像信号端子（１）１２１と映像信号端子（２）１２２に入出力を設定する際の動作例について説明する。図３は、映像表示機器１０において、映像信号端子（１）１２１と映像信号端子（２）１２２に入出力を設定する際の動作例を示すフローチャートである。図４は、映像信号の再生機器としてのＰＣ（パーソナルコンピュータ）２０と、２台の映像表示機器１０（図４では映像表示機器１０−１および１０−２として示す。）との接続例を示す模式図である。図４に示す例では、ＰＣ２０が出力した映像信号が映像表示機器１０−１へ入力され、映像表示機器１０−１が出力した映像信号が映像表示機器１０−２へ入力されて、ＰＣ２０が出力した映像信号が映像表示機器１０−１と映像表示機器１０−２で表示される。
【００２７】
図３に示す処理は、例えば、操作者が映像表示機器１０に対して端子の入出力を設定する処理の実行を指示した場合や、ＣＰＵ１０８が起動された場合、各端子の入出力の設定情報がメモリ１１０に保存されていない場合等に実行される。この動作例では、図４に示すように、まず、操作者が、映像信号ケーブル３０ａをＰＣ２０のコネクタ２１に接続し、反対側を映像表示機器１０−１の映像信号端子（１）１２１に接続したとする。この場合、映像表示機器１０−１のケーブル検出部１０３が、映像信号端子（１）１２１に映像信号ケーブル３０ａが接続されたか否かを検出する（ステップＳ１０１）。映像信号端子（１）１２１に映像信号ケーブル３０ａが接続されたことが検出されると（ステップＳ１０１で「Ｙｅｓ」）、制御部１０９は、映像用スイッチ（１）１３１を制御し、映像信号端子（１）１２１と入力ライン（１）１５１を接続し、映像信号端子（１）１２１と画素変換回路１０４の入力端子１０４１を接続する（ステップＳ１０３）。続いて、制御部１０９は、映像用スイッチ（２）１３２を制御し、映像信号端子（２）１２２と出力ライン（２）１６２を接続し、映像信号端子（２）１２２と画素変換回路１０４の出力端子１０４２を接続する（ステップＳ１０４）。これにより、映像表示機器１０−１の映像信号端子（１）１２１が入力に、映像信号端子（２）１２２が出力に、自動的に決定される。制御部１０９は、決定した入出力設定をメモリ１１０に保存することにより（ステップＳ１０７）、以降、ケーブルが抜去されるまでは（ステップＳ１０８で「Ｙｅｓ」となるまでは）、設定の通りに動作する。ケーブルが抜去された場合は（ステップＳ１０８で「Ｙｅｓ」の場合は）、制御部１０９は始めから処理を行う。
【００２８】
なお、操作者が、図４に示すように、映像信号ケーブル３０ｂを映像表示機器１０−１の映像信号端子（２）１２２に接続し、反対側を映像表示機器１０−２の映像信号端子（２）１２２に接続したとする。この場合、映像表示機器１０−２の制御部１０９は、次のように動作する。すなわち、映像表示機器１０−２のケーブル検出部１０３が、映像信号端子（２）１２２に映像信号ケーブルが接続されたことを検出すると（ステップＳ１０２で「Ｙｅｓ」）、制御部１０９は、映像用スイッチ（２）１３２を制御し、映像信号端子（２）１２２と入力ライン（２）１６１を接続し、映像信号端子（２）１２２を画素変換回路１０４の入力端子１０４１と接続する（ステップＳ１０５）。続いて、制御部１０９は、映像用スイッチ（１）１３１を制御し、映像信号端子（１）１２１と出力ライン（１）１５２を接続し、映像信号端子（１）１２１を画素変換回路１０４の出力端子１０４２に接続する（ステップＳ１０６）。これにより、映像表示機器１０−２映像信号端子（１）１２１が出力に、映像信号端子（２）１２２が入力に、自動的に決定される。
【００２９】
以上のように、本実施形態では、映像表示機器１０が、先に映像信号ケーブルを検出した映像信号端子を入力端子とし、残りの方を出力端子とするように動作する。したがって、操作者は、映像表示機器の端子の入出力を意識せずに映像信号ケーブルを接続することができる。
【００３０】
なお、映像表示機器１０では、例えば図３に示す処理を操作者の指示に応じて実行する場合、図３に示す処理を実行していないときは、メモリ１１０に映像用スイッチ（１）１３１と映像用スイッチ（２）１３２の接続の入出力に関する設定情報が保存されているときには、保存されている設定情報に応じて、制御部１０９が映像用スイッチ（１）１３１と映像用スイッチ（２）１３２を制御するようにしてもよい。
【００３１】
＜第２実施形態＞
次に、本発明の第２実施形態に係る映像表示機器について説明する。まず、図４および図５を参照して、本実施形態が前提とする事項について説明する。図５は、図４に示す第１実施形態に係る映像表示機器１０−１および１０−２の他の接続例を示す模式図である。
【００３２】
図４に示す接続例では、初めにＰＣ２０のコネクタ２１と映像表示機器１０−１の映像信号端子（１）１２１が映像信号ケーブル３０ａで接続され、次に映像表示機器１０−１の映像信号端子（２）１２２と映像表示機器１０−２の映像信号端子（２）１２２が映像信号ケーブル３０ｂで接続される例であった。この場合、映像表示機器１０−１では、入力側の映像信号ケーブル３０ａが最初に接続され、出力側の映像信号ケーブル３０ｂが後に接続される。他方、映像表示機器１０−２では、入力側の映像信号ケーブル３０ｂが最初に接続される。したがって、最初に映像ケーブルが接続された映像信号端子を入力側とすることで入出力を正しく設定することができた。
【００３３】
一方、図５に示す接続例は、最初に、映像表示機器１０−１の映像信号端子（２）１２２と映像表示機器１０−２の映像信号端子（２）１２２を映像信号ケーブル３０ｂで接続する場合である。すなわち、図４に示す例では、ＰＣ２０から各映像表示機器１０−１および１０−２に対して、接続順で順番に、映像信号ケーブルを接続していた。一方、図５に示すように、途中にある映像表示機器１０−１および１０−２から映像信号ケーブルで接続すると、２つの映像表示機器１０−１および１０−２において、映像信号ケーブル３０ｂを接続した各映像信号端子（２）１２２が両方とも入力端子に設定されてしまうことになる。第１実施形態ではこの課題に対応することができない。そこで、第２実施形態では、この課題に対応する構成を備えるようにした。
【００３４】
図６は、本発明の第２実施形態に係る映像表示機器１０ａの構成例を示すブロック図である。なお、図６において、図１に示す第１実施形態に係る映像表示機器１０内の構成と同一または対応する構成には同一の符号を用いて、説明を適宜省略する。図６に示す映像表示機器１０ａは、図１に示す映像表示機器１０と次の点が異なる。すなわち、図１に示す映像用スイッチ（１）１３１が映像検出ＩＣ（集積回路）（１）＋映像用スイッチ（１）１４１に代えられているとともに、図１に示す映像用スイッチ（２）１３２が映像検出ＩＣ（２）＋映像用スイッチ（２）１４２に代えられている。また、ＣＰＵ１０８が実行するプログラムの一部が後述する制御部１０９ａの動作に対応するように変更されている。また、図１に示す制御部１０９に対応する構成である制御部１０９ａは、映像検出ＩＣ（１）＋映像用スイッチ（１）１４１および映像検出ＩＣ（２）＋映像用スイッチ（２）１４２が出力する映像信号の検出の結果を示す制御信号を入力する機能を備えている。
【００３５】
映像検出ＩＣ（１）＋映像用スイッチ（１）１４１は、図１および図２に示す映像用スイッチ（１）１３１と同一の映像信号の切り替え機能に加え、映像検出ＩＣ（１）によって映像信号端子（１）１２１から所定の映像信号が入力されているか否かを検出する機能を備えている。また、映像検出ＩＣ（２）＋映像用スイッチ（２）１４２は、図１および図２に示す映像用スイッチ（２）１３２と同一の映像信号の切り替え機能に加え、映像検出ＩＣ（２）によって映像信号端子（２）１２２から所定の映像信号が入力されているか否かを検出する機能を備えている。
【００３６】
なお、第２実施形態に関する以下の説明において図２を参照する場合、図２に示す符号「１３１」を「１４１」に読み替え、図２に示す符号「１３２」を「１４２」に読み替えるものとする。
【００３７】
すなわち、映像検出ＩＣ（１）＋映像用スイッチ（１）１４１は、制御部１０９ａの制御によって、映像信号端子（１）１２１と入力ライン（１）１５１または出力ライン（１）１５２のいずれか一方とを選択的に接続する。また、映像検出ＩＣ（１）＋映像用スイッチ（１）１４１は、映像信号端子（１）１２１に所定の映像信号が入力されているか否かを検出し、検出結果を示す制御信号を制御部１０９ａに対して出力する。また、映像検出ＩＣ（２）＋映像用スイッチ（２）１４２は、制御部１０９ａの制御によって、映像信号端子（２）１２２と入力ライン（２）１６１または出力ライン（２）１６２のいずれか一方とを選択的に接続する。また、映像検出ＩＣ（２）＋映像用スイッチ（２）１４２は、映像信号端子（２）１２２に所定の映像信号が入力されているか否かを検出し、検出結果を示す制御信号を制御部１０９ａに対して出力する。
【００３８】
次に、図６、図２、図７および図８を参照して、図６に示す映像表示機器１０ａにおいて、映像信号端子（１）１２１と映像信号端子（２）１２２に入出力を設定する際の動作例について説明する。図７および図８は、映像表示機器１０ａにおいて、映像信号端子（１）１２１と映像信号端子（２）１２２に入出力を設定する際の動作例を示すフローチャートである。図７に示す処理と図８に示す処理は、結合子Ａ同士および結合子Ｂ同士で結合されている。なお、図７および図８では、映像検出ＩＣ（１）＋映像用スイッチ（１）１４１について、映像信号の検出機能に対応する動作を示す場合は「ＩＣ（１）」と表記し、映像信号の切り替え機能に対応する動作を示す場合は「映像用スイッチ（１）」と表記する。同様に、図７および図８では、映像検出ＩＣ（２）＋映像用スイッチ（２）１４２について、映像信号の検出機能に対応する動作を示す場合は「ＩＣ（２）」と表記し、映像信号の切り替え機能に対応する動作を示す場合は「映像用スイッチ（２）」と表記する。
【００３９】
図７および図８に示す処理は、例えば、操作者が映像表示機器１０ａに対して端子の入出力を設定する処理の実行を指示した場合や、ＣＰＵ１０８が起動された場合、各端子の入出力の設定情報がメモリ１１０に保存されていない場合等に実行される。映像表示機器１０ａでは、まず、ケーブル検出部１０３が、映像信号端子（１）１２１または映像信号端子（２）１２２に映像信号ケーブルが接続されたことを検出するまで待機する（ステップＳ２０１で「Ｎｏ」およびステップＳ２０２で「Ｎｏ」の繰り返し）。
【００４０】
ケーブル検出部１０３が映像信号端子（１）１２１に映像信号ケーブルが接続されたことを検出した場合（ステップＳ２０１で「Ｙｅｓ」）、制御部１０９ａは、映像検出ＩＣ（１）＋映像用スイッチ（１）１４１を入力ライン（１）１５１に接続し（ステップＳ２０３）、映像検出ＩＣ（２）＋映像用スイッチ（２）１４２を出力ライン（２）１６２に接続する（ステップＳ２０４）。
【００４１】
一方、ケーブル検出部１０３が映像信号端子（２）１２２に映像信号ケーブルが接続されたことを検出した場合（ステップＳ２０２で「Ｙｅｓ」）、制御部１０９ａは、映像検出ＩＣ（２）＋映像用スイッチ（２）１４２を入力ライン（２）１６１に接続し（ステップＳ２０５）、映像検出ＩＣ（１）＋映像用スイッチ（１）１４１を出力ライン（１）１５２に接続する（ステップＳ２０６）。
【００４２】
制御部１０９ａは、ステップＳ２０３〜Ｓ２０６の設定をメモリ１１０に保存することにより（ステップＳ２０７）、当該映像表示機器１０ａは入力端子が決定した単体のモニターとして動作する。この時点では、当該映像表示機器１０ａの出力側の端子には、映像信号ケーブルは接続されていない。
【００４３】
次に、制御部１０９ａは、ケーブル検出部１０３の検出結果を示す制御信号に変化が発生するまで繰り返し、ケーブル検出部１０３の検出結果を確認する（ステップＳ２０８で「Ｎｏ」の繰り返し）。
【００４４】
ケーブル検出部１０３の検出結果を示す制御信号に変化が発生した場合（ステップＳ２０８で「Ｙｅｓ」）、映像信号ケーブルが抜去されたときは、制御部１０９ａは、映像表示機器１０ａに接続されている映像信号ケーブルが無くなったとして、処理を開始時に戻す（ステップＳ２０９で「Ｎｏ」）。
【００４５】
一方、映像信号ケーブルが挿入された場合は（ステップＳ２０９で「Ｙｅｓ」）、制御部１０９ａは、後から映像信号ケーブルが挿入された端子の方が、出力端子として待機し、映像信号の検出を行う（ステップＳ２１０およびステップＳ２１１）。
【００４６】
映像検出ＩＣ（１）＋映像用スイッチ（１）１４１が先に映像信号を検出した場合は（ステップＳ２１０で「Ｙｅｓ」）、制御部１０９ａは、映像検出ＩＣ（１）＋映像用スイッチ（１）１４１を入力ライン（１）１５１に接続し（ステップＳ２１２）、映像検出ＩＣ（２）＋映像用スイッチ（２）１４２を出力ライン（２）１６２に接続する（ステップＳ２１３）。
【００４７】
一方、映像検出ＩＣ（２）＋映像用スイッチ（２）１４２が先に映像信号を検出した場合は（ステップＳ２１１で「Ｙｅｓ」）、制御部１０９ａは、映像検出ＩＣ（２）＋映像用スイッチ（２）１４２を入力ライン（２）１６１に接続し（ステップＳ２１４）、映像検出ＩＣ（１）＋映像用スイッチ（１）１４１を出力ライン（１）１５２に接続する（ステップＳ２１５）。
【００４８】
制御部１０９ａは、入出力端子が確定したところでステップＳ２１２〜Ｓ２１５の設定をメモリ１１０に保存し（ステップＳ２１６）、当該映像表示機器１０ａは、入力端子と出力端子が決定したモニターとして、動作する。なお、入力設定を保存しない仕様とする場合は、入力された信号により、常に入出力端子が可変する動作となる。
【００４９】
映像信号の検出中、または、入出力端子確定後に、映像信号ケーブルが抜去された場合は（ステップＳ２１７で「Ｙｅｓ」またはステップＳ２１８で「Ｙｅｓ」）、処理開始時に戻り、制御部１０９ａは、抜去された端子が映像信号端子（１）１２１か映像信号端子（２）１２２かを判断し（ステップＳ２０１およびステップＳ２０２）、上記で説明した処理で、再び、入力端子を確定して（ステップＳ２０３〜Ｓ２０７）、映像表示機器１０ａは単体モニターとして動作する。
【００５０】
第２実施形態によれば、図５に示す場合と同様に、ＰＣ２０を接続していない状態で２台の映像表示機器１０ａを映像信号ケーブル３０ｂで接続した場合においても、どちらかの映像表示機器１０ａをＰＣ２０に接続することにより、映像信号の入出力端子を自動で決定することができ、二台の映像表示機器１０ａに映像を表示することができる。
【００５１】
なお、映像表示機器１０ａでは、例えば図７および図８に示す処理を操作者の指示に応じて実行する場合、図７および図８に示す処理を実行していないときは、メモリ１１０に、映像検出ＩＣ（１）＋映像用スイッチ（１）１４１と映像検出ＩＣ（２）＋映像用スイッチ（２）１４２の接続の入出力に関する設定情報が保存されているときには、保存されている設定情報に応じて、制御部１０９ａが、映像検出ＩＣ（１）＋映像用スイッチ（１）１４１と映像検出ＩＣ（２）＋映像用スイッチ（２）１４２を制御するようにしてもよい。
【００５２】
次に、図９を参照して、第２実施形態の他の動作例について説明する。図９は、図６に示す映像表示機器１０ａにおいて、映像信号端子（１）１２１と映像信号端子（２）１２２に入出力を設定する際の他の動作例を示すフローチャートである。なお、図７および図８と同様、図９においても、映像検出ＩＣ（１）＋映像用スイッチ（１）１４１について、映像信号の検出機能に対応する動作を示す場合は「ＩＣ（１）」と表記し、映像信号の切り替え機能に対応する動作を示す場合は「映像用スイッチ（１）」と表記する。同様に、図９では、映像検出ＩＣ（２）＋映像用スイッチ（２）１４２について、映像信号の検出機能に対応する動作を示す場合は「ＩＣ（２）」と表記し、映像信号の切り替え機能に対応する動作を示す場合は「映像用スイッチ（２）」と表記する。図９に示す動作例は、制御部１０９ａにおいて、ケーブル検出部１０３によるケーブル検出結果を使用しない場合の一例である。したがって、図９に示す動作例を用いる場合、図６に示すケーブル検出部１０３は省略することができる。
【００５３】
図９に示す処理は、例えば、操作者が映像表示機器１０ａに対して端子の入出力を設定する処理の実行を指示した場合や、ＣＰＵ１０８が起動された場合、各端子の入出力の設定情報がメモリ１１０に保存されていない場合等に実行される。この場合、映像表示機器１０ａには、図４に示す場合と同様に、映像信号ケーブル３０ａが映像信号端子（１）１２１に接続されていて、他の映像信号ケーブル３０ｂが映像信号端子（２）１２２に接続された状態であるとする。
【００５４】
ここで、映像信号端子（１）１２１に接続されている映像信号ケーブル３０ａがＰＣ２０と接続され、さらにＰＣ２０から映像信号が入力されると、映像検出ＩＣ（１）＋映像用スイッチ（１）１４１がその映像信号を検出し（ステップＳ３０１で「Ｙｅｓ」）、制御部１０９ａは、映像検出ＩＣ（１）＋映像用スイッチ（１）１４１を制御して、映像信号端子（１）１２１と入力ライン（１）１５１を接続し、映像信号端子（１）１２１と画素変換回路１０４の入力端子１０４１を接続する（ステップＳ３０３）。続いて、制御部１０９ａは、映像検出ＩＣ（２）＋映像用スイッチ（２）１４２を制御して、映像信号端子（２）１２２と出力ライン（２）１６２を接続し、映像信号端子（２）１２２と画素変換回路１０４の出力端子１０４２を接続する（ステップＳ３０４）。これにより、映像信号端子の入力と出力が自動的に決定される。次に、制御部１０９ａは、決定した入出力設定をメモリ１１０に保存する（ステップＳ３０７）。これにより、以降、入力信号が途絶えるまでは（ステップＳ３０８で「Ｎｏ」となるまでは）、映像表示機器１０ａは、ステップＳ３０７で保存した設定の通りに動作する。入力信号が途絶えた場合は（ステップＳ３０８で「Ｎｏ」）、制御部１０９ａは、始めから処理を行う。
【００５５】
なお、ステップＳ３０８における制御部１０９ａによる「入力側の映像信号がある」か否かの判定処理では、映像検出ＩＣ（１）＋映像用スイッチ（１）１４１側が入力となっていた場合は、映像検出ＩＣ（１）＋映像用スイッチ（１）１４１側の映像信号を監視し、信号がある間は、入出力設定を維持し、途絶えた場合は、再び映像検出ＩＣ（１）＋映像用スイッチ（１）１４１と映像検出ＩＣ（２）＋映像用スイッチ（２）１４２で信号の検出を行う。映像検出ＩＣ（２）＋映像用スイッチ（２）１４２側が入力となっていた場合も、同様に処理を行う。
【００５６】
一方、映像信号端子（２）１２２に接続された映像信号ケーブルがＰＣ２０と接続され、ＰＣ２０が映像信号を出力した場合は、制御部１０９ａが次のように動作する。すなわち、映像検出ＩＣ（２）＋映像用スイッチ（２）１４２が映像信号を検出するので（ステップＳ３０２で「Ｙｅｓ」）、制御部１０９ａは、映像検出ＩＣ（２）＋映像用スイッチ（２）１４２を入力ライン（２）１６１に接続し（ステップＳ３０５）、映像検出ＩＣ（１）＋映像用スイッチ（１）１４１を出力ライン（１）１５２に接続する（ステップＳ３０６）。これにより、映像信号端子の入力と出力が自動的に決定される。
【００５７】
つまり、図９に示す動作例では、先に映像信号が検出された映像信号端子を入力端子とし、残りの方を出力端子とするように制御部１０９ａが動作する。これにより、ケーブル検出部１０３が無くても、入力端子と出力端子を自動で決定することが可能となる。
【００５８】
以上のように、本発明の第１実施形態では、入力・出力端子に映像用スイッチをつけ、先に映像信号ケーブルが接続された方を入力端子に設定し、後の方を出力端子に設定する。よって、本発明の第１実施形態によれば、操作者は、入力・出力端子を意識せずに、映像信号ケーブルの接続が行える。
【００５９】
また、本発明の第２実施形態では、入力・出力端子に映像信号検出用のＩＣと映像用スイッチをつけ、先に映像信号を検出した方を入力端子に設定し、後の方を出力端子に設定する。よって、本発明の第２実施形態によれば、操作者は、入力・出力端子を意識せずに、例えば複数の映像表示機器１０ａのデイジーチェーン接続が行える。
【００６０】
なお、本発明の実施形態は、モニター等の映像表示機器に限定されず、例えば映像機器全般に適用することができる。ここで、本願において映像機器とは、映像信号を処理する機器であって、映像信号を入出力したり、入力したり、出力したりする機器である。また、映像信号の処理は、映像信号の表示、再生、記録、変換、転送、それらの組み合わせ等の処理を含む。
【００６１】
また、上記実施形態は、映像表示機器に各２個の映像信号端子を有する例としたが、これに限らず、３個以上の映像信号端子を有していてもよい。この場合、例えば、映像信号ケーブルの接続または映像信号の入力が最初に検出された端子を入力に設定し、残りの端子を出力に設定することができる。
【００６２】
また、本発明の実施形態は、映像機器を複数用いるディスプレイのマルチディスプレイ表示に適用することができる。また、本発明の実施形態では、マルチ・シングルストリームトランスポート機能を利用するディスプレイシステムに適用することができる。また、映像信号端子（１）１２１および映像信号端子（２）１２２は、例えば、映像信号のインタフェースの規格の１つであるＤｉｓｐｌａｙＰｏｒｔ（ディスプレイポート）（米国その他の国における商標または登録商標）に対応したものとすることができる。
【００６３】
次に、図１０を参照して、本発明の実施形態の最小構成例について説明する。図１０は、本発明の実施形態の最小構成例を示すブロック図である。図１０に示す本実施形態の映像機器５０は、第１映像信号端子５１、検出部５２、第２映像信号端子５３、第１映像信号用スイッチ５４、制御部５５、第２映像信号用スイッチ５６、および映像信号処理部５７を備える。
【００６４】
映像信号処理部５７は、映像信号の入力部５８と出力部５９を有し、入力部５８から入力された映像信号に対して所定の処理を行って出力部５９から出力する。第１映像信号端子５１は、映像信号を伝送する映像信号ケーブル６１を着脱自在に接続する。第２映像信号端子５３は、第１映像信号端子５１と同一形状を有し、映像信号ケーブル６２を着脱自在に接続する。映像信号に対する所定の処理は、例えば、映像信号の変換、転送、表示、再生、記録、それらの組み合わせ等の処理を含む。
【００６５】
検出部５２は、第１映像信号端子５１および第２映像信号端子５３における所定の状態を検出する。第１映像信号用スイッチ５４は、第１映像信号端子５１と入力部５８または出力部５９のいずれかとを接続する。第２映像信号用スイッチ５６は、第２映像信号端子５３と入力部５８または出力部５９のいずれかとを接続する。制御部５５は、検出部５２の検出結果に応じて、第１映像信号用スイッチ５４の接続状態と第２映像信号用スイッチ５６の接続状態を制御する。
【００６６】
本実施形態によれば、検出部５２の検出結果に応じて、制御部５５によって自動的に、第１映像信号端子５１および第２映像信号端子５３の一方が入力端子に設定され、他方が出力端子に設定される。したがって、操作者は、入力・出力端子を意識せずに、映像機器に対して映像信号ケーブルを接続することができる。
【００６７】
なお、映像機器５０は、第１映像信号用スイッチ５４および第２映像信号用スイッチ５６の接続の設定情報を記憶する記憶部を備えていてもよい。また、制御部５５は、検出部５２の検出結果または記憶部が記憶する設定情報に応じて、第１映像信号用スイッチ５４の接続状態と第２映像信号用スイッチ５６の接続状態を制御してもよい。この構成によれば、例えば、映像信号ケーブルの接続を変更した場合に限定して、入出力の設定状態を変更することができる。
【００６８】
また、検出部５２は、所定の状態として、第１映像信号端子５１および第２映像信号端子５３における映像信号ケーブル６１または６２の接続の有無を検出してもよい。また、制御部は、映像信号ケーブル６１または６２の接続が先に検出された第１映像信号端子５１または第２映像信号端子５３の一方と入力部５８が接続され、他方と出力部５９が接続されるように、第１映像信号用スイッチ５４の接続状態と第２映像信号用スイッチ５６の接続状態を制御してもよい。
【００６９】
また、検出部５２は、所定の状態として、第１映像信号端子５１および第２映像信号端子５３における映像信号の入力の有無を検出してもよい。また、制御部５５は、映像信号の入力が先に検出された第１映像信号端子５１または第２映像信号端子５３の一方と入力部５８が接続され、他方と出力部５９が接続されるように、第１映像信号用スイッチ５４の接続状態と第２映像信号用スイッチ５６の接続状態を制御してもよい。
【００７０】
また、映像機器５０は、映像信号処理部５７の入力部５８に入力された映像信号に基づき映像を表示する表示部（図１および図６では出力映像表示部１０７に対応）を備えていてもよい。
【００７１】
なお、図１０に示す各構成と、第1実施形態または第２実施形態の各構成との対応関係は次の通りである。映像機器５０は、図１に示す映像表示機器１０と図６に示す映像表示機器１０ａに対応する。第１映像信号端子５１は、図１および図６に示す映像信号端子（１）１２１に対応する。検出部５２は、図１および図６に示すケーブル検出部１０３と、図６に示す映像検出ＩＣ（１）＋映像用スイッチ（１）１４１（映像信号の検出機能）と映像検出ＩＣ（２）＋映像用スイッチ（２）１４２（映像信号の検出機能）に対応する。第２映像信号端子５３は、図１および図６に示す映像信号端子（２）１２２に対応する。第１映像信号用スイッチ５４は、図１に示す映像用スイッチ（１）１３１と図６に示す映像検出ＩＣ（１）＋映像用スイッチ（１）１４１（映像信号の切り替え機能）に対応する。制御部５５は、図１に示すＣＰＵ１０８と制御部１０９の組み合わせ（または制御部１０９）と図６に示すＣＰＵ１０８と制御部１０９ａの組み合わせ（または制御部１０９ａ）に対応する。第２映像信号用スイッチ５６は、図１に示す映像用スイッチ（２）１３２と図６に示す映像検出ＩＣ（２）＋映像用スイッチ（２）１４２（映像信号の切り替え機能）に対応する。映像信号処理部５７は、図１および図６に示す画素変換回路１０４に対応する。入力部５８は、図２に示す入力端子１０４１に対応する。出力部５９は、図２に示す出力端子１０４２に対応する。
【００７２】
以上、この発明の実施形態について図面を参照して詳述してきたが、具体的な構成はこの実施形態に限られるものではなく、この発明の要旨を逸脱しない範囲の設計等も含まれる。
【符号の説明】
【００７３】
１０、１０ａ…映像表示機器、５０…映像機器、５１…第１映像信号端子、５２…検出部、５３…第２映像信号端子、５４…第１映像信号用スイッチ、５５…制御部、５６…第２映像信号用スイッチ、５７…映像信号処理部、５８…入力部、５９…出力部、１０３…ケーブル検出部、１０４…画素変換回路、１０７…出力映像表示部、１０８…ＣＰＵ、１０９、１０９ａ…制御部、１２１…映像信号端子（１）、１２２…映像信号端子（２）、１３１…映像用スイッチ（１）、１３２…映像用スイッチ（２）、１４１…映像検出ＩＣ（１）＋映像用スイッチ（１）、１４２…映像検出ＩＣ（２）＋映像用スイッチ（２）、１０４１…入力端子、１０４２…出力端子
【図１】
2019102607.tif 000003
【図２】
2019102607.tif 000004
【図３】
2019102607.tif 000005
【図４】
2019102607.tif 000006
【図５】
2019102607.tif 000007
【図６】
2019102607.tif 000008
【図７】
2019102607.tif 000009
【図８】
2019102607.tif 000010
【図９】
2019102607.tif 000011
【図１０】
2019102607.tif 000012
【国際調査報告】
2019102607.tif 000013
2019102607.tif 000014
2019102607.tif 000015
2019102607.tif 000016